(57)【要約】  【課題】引戸体の取り付けの施工性を向上した開閉体装置を提供する。  【解決手段】引戸体４から下ランナ７に向けて開閉体連結部41を突設する。走行体連結部25を引戸体４に向けて下ランナ７から突設する。開閉体連結部41と走行体連結部25との連結により引戸体４の開閉面から開口部の開口方向に離間して引戸体４を下ランナ７に取り付ける。下ランナ７を予め下ガイドレールにて支持して走行体連結部25と開閉体連結部41とを連結でき、引戸体４を開口部に容易に取り付けできるので、引戸体４の取り付けの施工性を向上できる。  【選択図】図１
2005097951.tif 000002
【特許請求の範囲】
【請求項１】
開口部を開閉可能な開閉体と、
前記開口部の開口端に設けられ、前記開閉体を開閉方向に沿って開閉可能に案内する案内部材と、
前記開閉体の開閉方向に沿って前記案内部材に走行可能に支持される走行体と、
この走行体に向けて前記開閉体に突設された開閉体連結部、および、前記開閉体に向けて前記走行体に突設され、前記開閉体連結部と互いに着脱可能に連結される走行体連結部をそれぞれ備え、これら開閉体連結部および走行体連結部の連結により前記走行体を前記開閉体の開閉面から前記開口部の開口方向に離間して前記開閉体に取り付ける連結部と
を具備していることを特徴とした開閉体装置。
【請求項２】
連結部は、開閉体の開閉面に対して垂直な方向および前記開閉体の開閉方向の少なくともいずれか一方向に沿って前記開閉体および走行体の少なくともいずれか一方を移動させることで開閉体連結部と走行体連結部とが互いに着脱される
ことを特徴とした請求項１記載の開閉体装置。
【請求項３】
連結部は、
開閉体連結部および走行体連結部の少なくともいずれか一方に設けられた係合部と、
前記開閉体連結部および前記走行体連結部の連結時に前記係合部に係合可能に前記開閉体連結部および前記走行体連結部のいずれか他方に設けられ、前記係合部への係合方向に向けて付勢されたロック部とを有している
ことを特徴とした請求項１または２記載の開閉体装置。
【請求項４】
係合部およびロック部は、開閉体と走行体との離間距離を調整する調整機構を構成している
ことを特徴とした請求項３記載の開閉体装置。
【請求項５】
開口部を開閉可能な開閉体と、
前記開口部の開口端に設けられ、前記開閉体を開閉方向に沿って開閉可能に案内する案内部材と、
前記開閉体の開閉方向に沿って前記案内部材に走行可能に支持される走行体と、
前記開閉体および前記走行体の少なくともいずれか一方に設けられた凹部、および、前記開閉体および前記走行体のいずれか他方に設けられ、前記凹部と前記開閉体の厚み方向に係合可能な引掛け部をそれぞれ備え、これら凹部および引掛け部の係合により前記走行体を前記開閉体に取り付ける取付機構と
を具備していることを特徴とした開閉体装置。
【請求項６】
取付機構の下方にこの取付機構から離間されて設けられ、開閉体と走行体とを互いに固定する結合部を具備している
ことを特徴とした請求項５記載の開閉体装置。
【請求項７】
開閉体は、この開閉体の厚み方向に移動可能に設けられた調整体を備え、
取付機構は、
凹部が前記調整体および前記走行体の少なくともいずれか一方に設けられ、
引掛け部が前記調整体および前記走行体のいずれか他方に設けられている
ことを特徴とした請求項５または６記載の開閉体装置。
【請求項８】
開閉体により開閉される開口部の開口方向に沿って連結部に設けられ、前記開口部の内部から露出可能な平面部と、
操作可能な調整部が前記平面部に位置し、前記開閉体と走行体との離間距離を調整する調整機構と
を具備していることを特徴とした請求項１記載の開閉体装置。
【請求項９】
連結部の開閉体連結部および走行体連結部の少なくともいずれか一方に設けられ、開閉体の開閉方向に沿って長手方向を有する長孔と、
前記連結部の前記開閉体連結部および前記走行体連結部のいずれか他方に設けられ、前記長孔に嵌合する偏心カムと
を具備していることを特徴とした請求項１記載の開閉体装置。
【発明の詳細な説明】
【技術分野】
【０００１】
本発明は、開閉体を開閉方向に沿って開閉可能に案内する案内部材に走行可能に支持される走行体を備えた開閉体装置に関する。
【背景技術】
【０００２】
従来、この種の開閉体装置としての引戸装置は、矩形状の開口部を開閉可能な開閉体としての引戸を備えている。この引戸の上端部および下端部には、それぞれ走行体が取り付けられ、これら走行体は、開口部の上端部および下端部に沿って設けられた案内部材としてのガイドレールに走行可能に支持されている。
【０００３】
開口部の上端部に位置したガイドレールは、上方向に開口した断面視コ字状に形成され、走行体の外周面が嵌合する走行面を内部に有している。
【０００４】
開口部の下端部に位置したガイドレールは、下方向に開口した断面視コ字状に形成され、走行体が嵌合する溝部を内部に有している。
【０００５】
引戸の上側に位置した走行体は、引戸の上端部から引戸の厚み方向に突設された連結部としてのアーム部の先端部にボルトなどで締め付け固定されて連結されている。
【０００６】
また、引き戸の下側に位置した走行体は、引戸の下端部から引戸の厚み方向に突設されたアーム部の先端部に嵌合された調整体に取り付けられている。この走行体は、上方向に付勢された状態で設けられ、かつ調整体の下側に引き込み可能となっている。
【０００７】
そして、この引戸装置を開口部に取り付ける際には、走行体をボルトなどで予めアーム部にそれぞれ取り付けた状態でこれら走行体を取り付けた開閉体を持ち上げ、上側の走行体を上側のガイドレールの走行面に嵌合させた後、下側の走行体の上端部が下側のガイドレールよりも下方に位置するように走行体を下方に引き込み、開閉体の下側を開口部に近づけて走行体の引き込みを離すことで走行体を付勢力により復帰させて下側のガイドレールの溝部に嵌合させる（例えば、特許文献１参照。）。
【特許文献１】特開２００３−５６２４０号公報（第４−１１頁、図９−図１０）
【発明の開示】
【発明が解決しようとする課題】
【０００８】
しかしながら、上述の開閉体装置では、引戸のアーム部の先端部に走行体を取り付けているため、走行体をガイドレールに予め取り付けた状態ではこれら走行体と引戸とを連結することが容易でなく、走行体を予めアーム部に取り付けた引戸を作業者が把持して上下させなければならず、引戸の取り付けの施工性が良好でないという問題点を有している。
【０００９】
また、上側の走行体とアーム部との連結部が上側のガイドレールの走行面の上方に位置するので、レールの前後位置を調整するためのスペースをガイドレールの上方に設けなければならないとともに、下側のガイドレールの下方には、下側の走行体を下方に引き込むスペースが必要になるので、開口部の開口面積が上下方向に小さくなるという問題もある。
【００１０】
本発明は、このような点に鑑みなされたもので、開閉体の取り付けの施工性を向上した開閉体装置を提供することを目的とし、また、開口部の開口面積が小さくなることを防止できる開閉体装置を提供することを目的とする。
【課題を解決するための手段】
【００１１】
請求項１記載の開閉体装置は、開口部を開閉可能な開閉体と、前記開口部の開口端に設けられ、前記開閉体を開閉方向に沿って開閉可能に案内する案内部材と、前記開閉体の開閉方向に沿って前記案内部材に走行可能に支持される走行体と、この走行体に向けて前記開閉体に突設された開閉体連結部、および、前記開閉体に向けて前記走行体に突設され、前記開閉体連結部と互いに着脱可能に連結される走行体連結部をそれぞれ備え、これら開閉体連結部および走行体連結部の連結により前記走行体を前記開閉体の開閉面から前記開口部の開口方向に離間して前記開閉体に取り付ける連結部とを具備しているものである。
【００１２】
そして、開口部を開閉可能な開閉体から、この開閉体の開閉方向に沿って案内部材に走行可能に支持される走行体に向けて、開閉体連結部を突設するとともに、開閉体に向けて走行体連結部を走行体から突設し、これら開閉体連結部と走行体連結部との連結により開閉体の開閉面から開口部の開口方向に離間して開閉体を走行体に取り付けることで、走行体を予め案内部材にて支持した状態で開閉体連結部と走行体連結部とを作業者が連結させることができ、開閉体を開口部に容易に取り付けできるので、開閉体の取り付けの施工性が向上する。
【００１３】
請求項２記載の開閉体装置は、請求項１記載の開閉体装置において、連結部は、開閉体の開閉面に対して垂直な方向および前記開閉体の開閉方向の少なくともいずれか一方向に沿って前記開閉体および走行体の少なくともいずれか一方を移動させることで開閉体連結部と走行体連結部とが互いに着脱されるものである。
【００１４】
そして、開口部の開口面に対して垂直な方向および開閉体の開閉方向の少なくともいずれか一方向に沿って開閉体および走行体のいずれか一方を移動させることで開閉体連結部と走行体連結部とが互いに着脱されることにより、開閉体を開口部の開口面に沿った鉛直方向などに移動させることがないので、開閉体を開口部に取り付けるための開口部の上下のスペースを低減でき、開口部の開口面積が小さくなることを防止する。
【００１５】
請求項３記載の開閉体装置は、請求項１または２記載の開閉体装置において、連結部は、開閉体連結部および走行体連結部の少なくともいずれか一方に設けられた係合部と、前記開閉体連結部および前記走行体連結部の連結時に前記係合部に係合可能に前記開閉体連結部および前記走行体連結部のいずれか他方に設けられ、前記係合部への係合方向に向けて付勢されたロック部とを有しているものである。
【００１６】
そして、開閉体連結部および走行体連結部の少なくともいずれか一方に係合部を設け、これら開閉体連結部と走行体連結部との連結時に係合部に係合可能なロック部を、開閉体連結部および走行体連結部のいずれか他方に設けるとともに、ロック部を係合部への係合方向に向けて付勢することで、係合部とロック部とを容易かつ確実に係合でき、開閉体と走行体とを容易に取り付けできるので、開閉体の取り付けの施工性が向上する。
【００１７】
請求項４記載の開閉体装置は、請求項３記載の開閉体装置において、係合部およびロック部は、開閉体と走行体との離間距離を調整する調整機構を構成しているものである。
【００１８】
そして、係合部およびロック部により開閉体と走行体との離間距離を調整する調整機構を構成することで、開閉体と走行体との離間距離を調整するための他の部品などを設ける必要がなく、部品点数を低減し、製造性が向上するとともに製造コストを抑制する。
【００１９】
請求項５記載の開閉体装置は、開口部を開閉可能な開閉体と、前記開口部の開口端に設けられ、前記開閉体を開閉方向に沿って開閉可能に案内する案内部材と、前記開閉体の開閉方向に沿って前記案内部材に走行可能に支持される走行体と、前記開閉体および前記走行体の少なくともいずれか一方に設けられた凹部、および、前記開閉体および前記走行体のいずれか他方に設けられ、前記凹部と前記開閉体の厚み方向に係合可能な引掛け部をそれぞれ備え、これら凹部および引掛け部の係合により前記走行体を前記開閉体に取り付ける取付機構とを具備しているものである。
【００２０】
そして、開口部を開閉可能な開閉体および開閉体の開閉方向に沿って案内部材に走行可能に支持される走行体の少なくともいずれか一方に設けた凹部と、これら開閉体および走行体のいずれか他方に設けた引掛け部とを開閉体の厚み方向に係合させて開閉体と走行体とを互いに取り付けることで、開閉体を開口部に容易に取り付けできるので、開閉体の取り付けの施工性が向上するとともに、凹部と引掛け部との係合により開閉体を開口部に取り付けるため、開閉体の厚み方向の寸法が低減する。
【００２１】
請求項６記載の開閉体装置は、請求項５記載の開閉体装置において、取付機構の下方にこの取付機構から離間されて設けられ、開閉体と走行体とを互いに固定する結合部を具備しているものである。
【００２２】
そして、開閉体と走行体とを互いに固定する結合部を取付機構の下方に離間して設けることで、取付機構を中心とした開閉体の揺動を防止する。
【００２３】
請求項７記載の開閉体装置は、請求項５または６記載の開閉体装置において、開閉体は、この開閉体の厚み方向に移動可能に設けられた調整体を備え、取付機構は、凹部が前記調整体および前記走行体の少なくともいずれか一方に設けられ、引掛け部が前記調整体および前記走行体のいずれか他方に設けられているものである。
【００２４】
そして、開閉体の厚み方向に移動可能な調整体と走行体との少なくともいずれか一方に凹部を設け、調整体と走行体とのいずれか他方に引掛け部を設けることで、調整体を開閉体の厚み方向に移動させることで開閉体の厚み方向の位置を調整することが容易に可能になる。
【００２５】
請求項８記載の開閉体装置は、請求項１記載の開閉体装置において、開閉体により開閉される開口部の開口方向に沿って連結部に設けられ、前記開口部の内部から露出可能な平面部と、操作可能な調整部が前記平面部に位置し、前記開閉体と走行体との離間距離を調整する調整機構とを具備しているものである。
【００２６】
そして、開閉体により開閉される開口部の開口方向に沿って連結部に設けられた平面部に位置する操作可能な調整部を備えた調整機構で開閉体と走行体との離間距離を調整することで、作業者が調整部の操作を目視で確認できるので、開閉体と走行体との離間距離を容易に調整でき、開閉体の取り付けの施工性が向上する。
【００２７】
請求項９記載の開閉体装置は、請求項１記載の開閉体装置において、連結部の開閉体連結部および走行体連結部の少なくともいずれか一方に設けられ、開閉体の開閉方向に沿って長手方向を有する長孔と、前記連結部の前記開閉体連結部および前記走行体連結部のいずれか他方に設けられ、前記長孔に嵌合する偏心カムとを具備しているものである。
【００２８】
そして、開閉体連結部および走行体連結部の少なくともいずれか一方に、開閉体の開閉方向に沿って長手方向を有するように設けた長孔に、開閉体連結部および走行体連結部のいずれか他方に設けた偏心カムを嵌合させることで、開閉体と走行体との離間距離を偏心カムと長孔とで容易に調整できるので、開閉体の取り付けの施工性が向上する。
【発明の効果】
【００２９】
請求項１記載の開閉体装置によれば、開口部を開閉可能な開閉体から、この開閉体の開閉方向に沿って案内部材に走行可能に支持される走行体に向けて、開閉体連結部を突設するとともに、開閉体に向けて走行体連結部を走行体から突設し、これら開閉体連結部と走行体連結部との連結により開閉体の開閉面から開口部の開口方向に離間して開閉体を走行体に取り付けることで、走行体を予め案内部材にて支持した状態で開閉体連結部と走行体連結部とを作業者が連結させることができ、開閉体を開口部に容易に取り付けできるので、開閉体の取り付けの施工性を向上できる。
【００３０】
請求項２記載の開閉体装置によれば、開口部の開口面に対して垂直な方向および開閉体の開閉方向の少なくともいずれか一方向に沿って開閉体および走行体のいずれか一方を移動させることで開閉体連結部と走行体連結部とが互いに着脱されることにより、開閉体を開口部の開口面に沿った鉛直方向などに移動させることがないので、開閉体を開口部に取り付けるための開口部の上下のスペースを低減でき、開口部の開口面積が小さくなることを防止できる。
【００３１】
請求項３記載の開閉体装置によれば、開閉体連結部および走行体連結部の少なくともいずれか一方に係合部を設け、これら開閉体連結部と走行体連結部との連結時に係合部に係合可能なロック部を、開閉体連結部および走行体連結部のいずれか他方に設けるとともに、ロック部を係合部への係合方向に向けて付勢することで、係合部とロック部とを容易かつ確実に係合でき、開閉体と走行体とを容易に取り付けできるので、開閉体の取り付けの施工性を向上できる。
【００３２】
請求項４記載の開閉体装置によれば、係合部およびロック部により開閉体と走行体との離間距離を調整する調整機構を構成することで、開閉体と走行体との離間距離を調整するための他の部品などを設ける必要がなく、部品点数を低減し、製造性を向上できるとともに製造コストを抑制できる。
【００３３】
請求項５記載の開閉体装置によれば、開口部を開閉可能な開閉体および開閉体の開閉方向に沿って案内部材に走行可能に支持される走行体の少なくともいずれか一方に設けた凹部と、これら開閉体および走行体のいずれか他方に設けた引掛け部とを開閉体の厚み方向に係合させて開閉体と走行体とを互いに取り付けることで、開閉体を開口部に容易に取り付けできるので、開閉体の取り付けの施工性を向上できるとともに、凹部と引掛け部との係合により開閉体を開口部に取り付けるため、開閉体の厚み方向の寸法を低減できる。
【００３４】
請求項６記載の開閉体装置によれば、開閉体と走行体とを互いに固定する結合部を取付機構の下方に離間して設けることで、取付機構を中心とした開閉体の揺動を防止できる。
【００３５】
請求項７記載の開閉体装置によれば、開閉体の厚み方向に移動可能な調整体と走行体との少なくともいずれか一方に凹部を設け、調整体と走行体とのいずれか他方に引掛け部を設けることで、調整体を開閉体の厚み方向に移動させることで開閉体の厚み方向の位置を容易に調整できる。
【００３６】
請求項８記載の開閉体装置によれば、開閉体により開閉される開口部の開口方向に沿って連結部に設けられた平面部に位置する操作可能な調整部を備えた調整機構で開閉体と走行体との離間距離を調整することで、作業者が調整部の操作を目視で確認できるので、開閉体と走行体との離間距離を容易に調整でき、開閉体の取り付けの施工性を向上できる。
【００３７】
請求項９記載の開閉体装置によれば、開閉体連結部および走行体連結部の少なくともいずれか一方に、開閉体の開閉方向に沿って長手方向を有するように設けた長孔に、開閉体連結部および走行体連結部のいずれか他方に設けた偏心カムを嵌合させることで、開閉体と走行体との離間距離を偏心カムと長孔とで容易に調整できるので、開閉体の取り付けの施工性を向上できる。
【発明を実施するための最良の形態】
【００３８】
以下、本発明の第１の実施の形態の開閉体装置の構成を図１ないし図８を参照して説明する。
【００３９】
図１ないし図８において、１は開閉体装置を示し、この開閉体装置１は、引戸装置などとして用いられるものである。この開閉体装置１は、四角形枠状の枠体２により形成された四角形状の開口部３を開閉可能な複数、例えば２つの開閉体としての引戸体４，５を備え、開口部３の開口端である下端部に、引戸体４，５の開閉方向D1に沿って引戸体４，５をそれぞれ開閉可能に案内すなわちガイドする案内部材としての下ガイドレール６が設けられ、この下ガイドレール６に走行体としての下ランナ７が走行可能に支持されているとともに、開口部３の開口端である上端部に、引戸体４，５の開閉方向D1に沿って引戸体４，５をそれぞれ開閉可能に案内すなわちガイドする案内部材としての上ガイドレール８が設けられ、この上ガイドレール８に走行体としての上ランナ９が走行可能に支持されている。
【００４０】
枠体２は、図３および図５に示すように、地板2a、天板2bおよび両側板2c，2dなどを有している。
【００４１】
開口部３は、枠体２の地板2aおよび天板2bの端部に形成され、水平かつ引戸体４，５の開閉方向D1に垂直な方向である引戸体４，５に対して垂直な方向、すなわち図３に示す左右方向が開口方向D2となっている。なお、以下、開口部３に対して各引戸体４，５側を外側すなわち前側、開口部３に対して天板2bおよび地板2a側を内側すなわち後側として説明する。
【００４２】
引戸体４，５は、いわゆるアウトセット引戸であり、四角形平板状に形成され、開口部３の長手方向である正面視の幅方向、すなわち図４に示す左右方向が開閉方向D1となっている。また、これら引戸体４，５は、それぞれ開口部３を長手方向に半分ずつ閉塞し、これら引戸体４，５の両方により開口部３全体を閉塞している。さらに、これら引戸体４，５は、例えばアルミニウムなどで形成された４つの枠部4a，5aをそれぞれ組み合わせて螺子10などで四隅を固定されて四角形状に設けられている。これら枠部4a，5aには、引戸体４，５の内周側に保持凹部11がそれぞれ設けられ、これら保持凹部11は、透光性を有するガラスなどの部材で形成された四角形状の窓部材4b，5bの周囲を保持している。
【００４３】
そして、これら引戸体４の正面視左側の枠部4aの前部には、図４に示す正面視左側に、取手体12が取り付けられている。この取手体12は、図８に示すように、上下方向に長手状の角筒状に形成され、上端開口12aに閉塞体13が挿入されて上端開口12aが閉塞されている。また、この取手体12は、把持される被把持部12bが前面部に突設されている。さらに、取手体12の後部には、丸穴状の螺子止め穴12cが設けられているとともに、この螺子止め穴12cの下方に、円柱状の突出部12dが水平方向に向けて突設されている。この突出部12dは、取手体12を枠部4aに取り付ける際のガイドとなるものである。
【００４４】
閉塞体13は、略角筒状の閉塞体本体13aの上部に蓋体13bが取り付けられ、この蓋体13bが閉塞体本体13aの上部を閉塞している。また、閉塞体本体13aは、取手体12内に挿入され、蓋体13bは、取手体12の上端開口12aの上縁部に係合して取手体12の上部に位置する。
【００４５】
さらに、閉塞体本体13aの下部には、丸孔状の螺子孔13cが前後方向に穿設され、かつ閉塞体本体13aの側部には、角孔状の挿入穴13dが螺子孔13cに連通するように設けられている。
【００４６】
螺子孔13cには、枠部4aの後部に設けられた四角形状の穴部4cから挿入されたボルト体14の軸部14aが挿入されている。この軸部14aは、挿入穴13dから挿入されたナット15に挿通され、枠部4aの前部に設けられた挿通孔4dを介して、螺子止め穴12cに螺子止めされる。
【００４７】
そして、枠部4aの前部には、係合穴4eが設けられ、この係合穴4eには、取手体12の突出部12dが挿入されて嵌合している。
【００４８】
この結果、取手体12が、枠部4aの前部に着脱可能に取り付けられている。そして、この取手体12を着脱可能とすることで、取手体12を取り外した状態で引戸体４，５が互いに引き違い可能となる。これら各引戸体４，５の引き違いにより、各引戸体４，５が前後方向に調整可能となっている。
【００４９】
また、引戸体５の両側部には、図４および図５に示すように、把持される被把持部5cが前面部に突設されている。
【００５０】
そして、下ガイドレール６は、引戸体４，５の開閉方向D1に沿って細長状に形成され、地板2aの長手方向に沿って、この地板2aの長手方向全体に亘って設けられている。この下ガイドレール６は、図３に示すように、水平な細長平板状の下本体部16を備え、この下本体部16の下部には、複数の突出片17がそれぞれ突設されている。これら突出片17は、前後方向に互いに離間され、突出片17と突出片17との間には、断面凹溝状の走行凹部18，19が下本体部16の長手方向に沿ってそれぞれ形成されている。これら走行凹部18，19は、下ガイドレール６の長手方向全体に亘って互いに平行に形成されている。
【００５１】
また、下本体部16の後端部には、後方に向けて下方向に傾斜した傾斜片部16a、および、地板2aの上面に螺子16bで固定される被固定部16cが順次延設されている。
【００５２】
さらに、下本体部16の前端部に位置する突出片17の前側には、上方に向けて円弧状に湾曲した係止爪部16dが突設され、この係止爪部16dには、カバー体20が着脱可能に取り付けられている。このカバー体20は、例えば合成樹脂などで細長状に形成され、下ガイドレール６と引戸体４の枠部4aの後端部の近傍まで水平に延設されている。そして、このカバー体20は、下ガイドレール６の係止爪部16dに圧入されている。
【００５３】
下ランナ７は、それぞれ引戸体４，５の下端部に連結されるものであり、図１および図３に示すように、細長四角形平板状の下ランナ本体21，22を備え、この下ランナ本体21，22の上面には、複数、例えば一対の下ローラ23が回転自在に軸支されている。これら下ローラ23は、上下方向に沿って回転軸24を有し、下ランナ本体21，22の長手方向に互いに離間されている。また、各下ランナ７は、下ランナ本体21に設けられた各下ローラ23が走行凹部18に嵌合するとともに、下ランナ本体22に設けられた各下ローラ23が走行凹部19に嵌合し、これら各下ローラ23の外周面が走行凹部18，19の内側面にそれぞれ当接する。このため、各下ランナ７は、引戸体４，５の開閉方向D1に沿って走行可能に下ガイドレール６に支持される。
【００５４】
また、下ランナ本体21の前端部には、引戸体４，５に向けて走行体連結部25が前方に向けて水平に延設され、この走行体連結部25の下部には、保持板部26が水平、すなわち走行体連結部25に平行に突設されている。一方、下ランナ本体22の前端部には、下方に向けて垂直に屈曲された屈曲板部27が延設され、この屈曲板部27の下端部から、下ランナ本体21の走行体連結部25に対して平行、かつ先端部がこの下ランナ本体21の走行体連結部25と略等しい位置となる走行体連結部25が延設されるとともに、この走行体連結部25の下部に保持板部26が水平、すなわち走行体連結部25と平行に突設されている。このため、下ランナ本体22の走行体連結部25および保持板部26は、下ランナ本体21の走行体連結部25および保持板部26よりも下方に位置している。
【００５５】
各走行体連結部25は、下ランナ７を下ガイドレール６に支持した状態でこの下ガイドレール６の外部であるこの下ガイドレール６の前方に突出している。このため、各走行体連結部25は、カバー体20を下ガイドレール６から取り外した状態で、下ガイドレール６と引戸体４の後端部との間からそれぞれ露出する。
【００５６】
また、各走行体連結部25の長手方向の一端部には、長孔状の切欠部28が切り欠き形成されている。この切欠部28は、走行体連結部25の長手方向の一端部から、この走行体連結部25の長手方向に沿って長孔状に切り欠き形成されている。すなわち、切欠部28は、走行体連結部25の前端部および長手方向の一端部と連通する嵌合開口28aを備えている。また、切欠部28は、走行体連結部25の他端部側が円弧状の円弧切欠部28bとなっており、この円弧切欠部28bの前端部側には、走行体連結部25の長手方向の一端側に向けて係合片部28cが突出している。この係合片部28cは、先端部が嵌合開口28aの開口縁となっている。
【００５７】
さらに、切欠部28の上部には、ロック部としての板ばね体29が取り付けられている。この板ばね体29は、例えば弾性を有する金属などの部材で略細長四角形板状に形成された板ばね本体31を備え、この板ばね本体31の長手方向の一端部には、この板ばね本体31から上方に向けて傾斜状に傾斜突出部32が突設されている。また、板ばね本体31には、長手方向の他端部側に、複数、例えば２つの固定孔33が穿設されている。これら固定孔33は、走行体連結部25の切欠部28の長手方向の近傍に設けられた複数、例えば２つの留め孔34に対応して穿設されている。
【００５８】
そして、固定孔33には、留め具35がそれぞれ挿通され、これら留め具35が留め孔34に固定されることで、板ばね体29が走行体連結部25の長手方向の一端部に、切欠部28に対応して取り付けられ、板ばね本体31を形成する部材の弾性により、板ばね体29の傾斜突出部32側の端部が下方向、すなわち走行体連結部25に垂直な方向に向けて付勢されている。
【００５９】
さらに、板ばね本体31には、板ばね体29を走行体連結部25に取り付けた状態で切欠部28に連通する丸孔状の嵌合孔36が穿設されている。
【００６０】
また、走行体連結部25の長手方向の他端部近傍には、長孔状の嵌合切欠部37が切り欠き形成されている。この嵌合切欠部37は、走行体連結部25の前端部から走行体連結部25の長手方向の他端部に向けて平面視で略Ｌ字状に屈曲して切り欠き形成され、走行体連結部25の長手方向に沿って長孔状に形成されている。すなわち、嵌合切欠部37は、走行体連結部25の前端部と連通する切欠嵌合開口37aを備えている。さらに、嵌合切欠部37は、走行体連結部25の他端部側が円弧状の円弧部37bとなっており、この円弧部37bの前端部側には、走行体連結部25の長手方向の一端側に向けて切欠係合片部37cが突出している。この切欠係合片部37cは、先端部が切欠嵌合開口37aの開口縁となっている。そして、嵌合切欠部37は、走行体連結部25の長手方向に沿って切欠部28と同じ軸線上に位置している。
【００６１】
保持板部26は、走行体連結部25に対して平行に離間されるように走行体連結部25の下部から前方に向けて屈曲されている。したがって、この保持板部26と走行体連結部25との間には、嵌合凹部38が形成されている。また、この保持板部26は、先端部が走行体連結部25の前端部よりも後側に位置している。さらに、この保持板部26は、長手方向の両端部の切欠部28および嵌合切欠部37に対応する位置に、切欠凹部39がそれぞれ切り欠き形成されている。これら切欠凹部39は、保持板部26の前端部および両端部から四角形状に切り欠き形成されている。そして、嵌合凹部38には、引戸体４，５の枠部4a，5aの後部の下端部より若干上側の位置から下ランナ７に向けてそれぞれ水平に突設された四角形平板状の開閉体連結部41の先端部がそれぞれ嵌合する。
【００６２】
ここで、各開閉体連結部41は、引戸体４，５の長手方向に沿って、これら引戸体４，５の長手方向全体に亘って設けられ、かつ引戸体４，５に対して後方向である開口部３の開口方向D2に沿って、すなわち下ランナ７に向けて突出している。また、各開閉体連結部41には、長手方向の両端部近傍の後端部に、嵌合部42がそれぞれ切り欠き形成されている。これら嵌合部42は、各開閉体連結部41の長手方向に沿って長手状に形成されている。さらに、各開閉体連結部41には、これら各開閉体連結部41の嵌合部42それぞれの長手方向の中心域近傍に、開閉体連結部41の幅方向である前後方向、すなわち開口部３の開口方向D2に沿って長孔状の長孔部43がそれぞれ穿設されている。これら長孔部43は、嵌合部42から離間されている。
【００６３】
そして、各長孔部43の下部には、係合部としての留め螺子44を介して保持板体45がそれぞれ取り付けられ、これら長孔部43、留め螺子44および保持板体45により、引戸体４，５と下ランナ７との離間距離を開口部３の開口方向D2に沿って調整する調整機構としての下部調整機構46が構成されている。
【００６４】
留め螺子44は、平面視で円形状の調整部としての螺子頭部47の下部に螺子軸部48を同軸状に備え、螺子頭部47の上部に、嵌合溝部49が設けられている。また、螺子頭部47は、嵌合孔36に嵌合可能な寸法に形成され、嵌合孔36に係合して板ばね体29により下方向に向けて付勢されて押さえ付けられている。言い換えると、板ばね体29は、螺子頭部47への係合方向に向けて付勢されている。そして、この留め螺子44は、螺子軸部48が長孔部43に挿通され、開閉体連結部41の下部で保持板体45に螺子止めされている。
【００６５】
保持板体45は、四角形板状の板体本体51を備え、この板体本体51の後端部には、この板体本体51から上方向に向けて垂直に屈曲された嵌合屈曲部52が一体的に設けられている。
【００６６】
板体本体51には、留め螺子44の螺子軸部48の先端部が螺子止めされる丸孔状の螺子止め貫通孔53が略中心域に穿設されている。
【００６７】
嵌合屈曲部52は、保持板体45を開閉体連結部41の下部に取り付けた状態で、この開閉体連結部41の嵌合部42にそれぞれ嵌合する。
【００６８】
そして、走行体連結部25、板ばね体29、開閉体連結部41および下部調整機構46などにより、走行体連結部25と開閉体連結部41とを互いに着脱可能に連結する連結部55が構成され、この連結部55により、引戸体４，５と下ランナ７とが、引戸体４，５の開閉面から開口部３の開口方向D2に離間して互いに連結される。
【００６９】
また、この連結部55には、開口部３の開口方向D2に沿って平面状に形成された走行体連結部25および開閉体連結部41が互いに連結されることで、走行体連結部25の上部に平面部56が形成される。すなわち、この平面部56は、カバー体20を下ガイドレール６から取り外した状態で開口部３の内部から露出可能である。さらに、留め螺子44の螺子頭部47は、板ばね体29の嵌合孔36に係合されてこの平面部56の上部、すなわち開口部３側に位置し、この平面部56の上方である開口部３側から操作可能となっている。
【００７０】
一方、上ガイドレール８は、図３に示すように、細長状に形成され、天板2bの長手方向に沿って、この天板2bの長手方向全体に亘って設けられている。この上ガイドレール８は、下側に開口した断面略コ字状の上本体部61を備え、この上本体部61の後部には、天板2bの下面に螺子62で固定される細長板状の当接腕部63が水平に突設されている。
【００７１】
また、上本体部61は、内部の上側寄りの位置に、一対の区画板64が後方向および前方向に向けて、先端部が互いに離間された状態で対向するように水平に突設されている。これら区画板64と上本体部61の上部との間には、断面視で略四角形状の空間部である案内部65が区画形成され、この案内部65内には、開閉体閉止装置としての引込み式キャッチ66が収容されている。
【００７２】
この引込み式キャッチ66は、図２に示すように、細長四角形状のキャッチ本体67を備え、このキャッチ本体67内には、このキャッチ本体67の長手方向に沿って軸方向を有する付勢部材としてのばね体68と、このばね体68の端部に係合された平面視略Ｌ字状の係合爪部69とがキャッチ本体67の長手方向に沿ってそれぞれ収容され、キャッチ本体67の下端部に設けられた案内溝71からこの係合爪部69が露出している。そして、この引込み式キャッチ66は、引戸体４，５それぞれを閉止動作させた際に、これら引戸体４，５を閉止状態で保持するとともに、この閉止状態から引戸体４，５を開放動作させた際に、引戸体４，５の閉止状態を解除するものである。そして、この引込み式キャッチ66は、キャッチ本体67に上下方向に貫通して設けられた貫通孔72にいも螺子73を挿入することで、上ガイドレール８の上本体部61に固定されている。
【００７３】
さらに、上本体部61の下端部には、一対の下部区画板74が後方向および前方向に向けて、先端部が互いに離間された状態で対向するように水平に突設されている。これら下部区画板74および区画板64により、上本体部61の前後に、断面視で略四角形状の走行溝部75，76がそれぞれ区画形成されている。これら走行溝部75，76は、上ガイドレール８の長手方向全体に亘って互いに平行に形成されている。
【００７４】
また、走行溝部75，76内に位置する区画板64の下部および下部区画板74の上部には、凹弧状の走行面77，78がそれぞれ形成されている。
【００７５】
上ランナ９は、細長角筒状の調整体79を介してそれぞれ引戸体４，５の枠部4a，5aの上端部に連結されるものであり、図２、図３および図６に示すように、板状の上ランナ本体81を備えている。この上ランナ本体81は、上下方向に沿って形成された四角形板状の軸支板部82と、この軸支板部82の下端部から後方に向けて水平に屈曲されて延設された取付板部83とを備えている。
【００７６】
各上ランナ９の軸支板部82の後部には、複数、例えば一対の上ローラ84が回転自在に軸支されている。これら上ローラ84は、軸支板部82の後部から後方向に向けて水平に突設された回転軸85をそれぞれ有し、軸支板部82の長手方向である上ガイドレール８の長手方向、すなわち引戸体４，５の開閉方向D1に互いに離間されている。また、各上ランナ９は、上ローラ84が走行溝部75，76にそれぞれ嵌合し、上ローラ84の外周面が走行面77，78に当接する。このため、各上ランナ９は、引戸体４，５の開閉方向D1に沿って走行可能に上ガイドレール８に支持される。
【００７７】
また、軸支板部82の上端部には、上方向に向けて四角形板状の突起86が突設されている。この突起86は、各上ランナ９を上ガイドレール８に支持した状態で、一対の区画板64の間に挿入されて案内溝71に下側から嵌合する。そして、この突起86は、引戸体４，５の閉止状態で引込み式キャッチ66の係合爪部69に係合して保持され、引戸体４，５の閉止時のストッパとなるものである。
【００７８】
取付板部83の下部には、連結体87が螺子体88などにて取り付けられている。この連結体87は、例えば合成樹脂などの部材で、上ガイドレール８の長手方向に沿って細長いブロック状に設けられている。この連結体87の前部の長手方向の両端部には、それぞれ切欠空間部89が切り欠き形成されている。そして、この切欠空間部89には、連結体87の前部から上方向に向けて突設された引掛け部としての走行体引掛け部91が設けられ、この走行体引掛け部91の後部に、凹部としての走行体凹部92が設けられている。
【００７９】
さらに、連結体87の長手方向の中心域の下部には、図２および図７に示すように、四角形状の下部切欠部93が切り欠き形成されている。この下部切欠部93は、連結体87の後部から前部に亘って設けられている。そして、この下部切欠部93には、連結体87の前側下部から舌片状に延設された結合部94が嵌合している。
【００８０】
この結合部94は、引戸体４，５と上ランナ９とを互いに固定するもので、可撓性を有し、前側の下部に、後側に向けて下方に傾斜状に突出した係合爪94aを備えるとともに、後側の下部につまみ部94bを備えている。ここで、係合爪94aは、側面視で鋭角を前側に有する略直角三角形状に形成されている。また、つまみ部94bは、作業者が指を掛けて結合部94を下部切欠部93内で上下に操作することで、結合部94を可撓変形させて係合爪94aを上下に移動させることが可能となっている。
【００８１】
一方、調整体79は、上ガイドレール８の長手方向に沿って、引戸体４，５の幅寸法よりも若干小さい長手寸法に形成され、各引戸体４，５とそれぞれ連結される２つの上ランナ９間に亘って取り付けられている。この調整体79は、引戸体４，５の枠部4a，5aの保持凹部11の上部に設けられた四角形状の空間部である収容空間部95内に収容され、この収容空間部95の後側の枠部4a，5aの両端部近傍の上部を切り欠いて形成した各露出部96から引戸体４，５の後方に露出している。
【００８２】
また、調整体79は、両端部近傍にそれぞれ螺子挿通孔97が厚み方向である前後方向に穿設されている。これら螺子挿通孔97には、引戸体４，５の枠部4a，5aに対して調整体79を引戸体４，５の厚み方向である前後方向に沿って移動可能にする調整螺子98が挿入されている。この調整螺子98は、調整軸部98aが螺子挿通孔97に螺合され、枠部4a，5aの収容空間部95内の前側面に先端部が当接しているとともに、調整軸部98aと同軸状に設けられた調整頭部98bが、枠部4a，5aの露出部96の一端部に円弧状に切り欠き形成された螺子係止孔99に係止されている。また、調整頭部98bには、図示しないマイナスドライバなどの工具で調整螺子98を回転可能にする調整溝部98cが径方向に沿って設けられている。
【００８３】
そして、これら調整体79および調整螺子98などにより、引戸体４，５と上ランナ９との離間距離を開口部３の開口方向D2に沿って調整可能な上部調整機構101が構成されている。
【００８４】
さらに、調整体79の後部には、２つの細長四角形状の調整体開口部103がそれぞれ切り欠き形成されている。これら調整体開口部103は、調整体79の長手方向に互いに離間され、調整体79を枠部4a，5aの収容空間部95内に収容した状態で、各露出部96から露出する位置に対応してそれぞれ形成されている。これら調整体開口部103の下部の縁部には、引戸体４，５と上ランナ９との連結時に結合部94の係合爪94aが係合して、引戸体４，５と上ランナ９とを互いに結合可能とする。
【００８５】
そして、これら調整体開口部103の長手方向の中心域の上部には、調整体79の上部に亘って上部切欠部104がそれぞれ切り欠き形成されている。また、これら上部切欠部104は、長手方向の寸法が調整体開口部103よりも小さく形成されている。このため、調整体79の後部の調整体開口部103の上側には、引掛け部としての開閉体引掛け部105が長手方向の両端部にそれぞれ形成されている。これら開閉体引掛け部105は、側面視で逆Ｌ字状に形成され、下方に向けて突出し、走行体凹部92に係合可能となっている。この結果、各開閉体引掛け部105の前側には、凹部としての嵌合空間部である開閉体凹部106が形成される。この開閉体凹部106には、走行体引掛け部91が係合可能となっている。
【００８６】
すなわち、走行体引掛け部91および開閉体凹部106と、開閉体引掛け部105および走行体凹部92とは、それぞれ互い違いとなるように係合し、上ランナ９を引戸体４，５の枠部4a，5aの上部に連結可能となっている。そして、これら走行体引掛け部91、走行体凹部92、開閉体引掛け部105および開閉体凹部106などにより、上ランナ９を引戸体４，５に取り付ける取付機構107が構成されている。
【００８７】
次に、上記第１の実施の形態の組み立て動作を説明する。
【００８８】
まず、枠体２の地板2aおよび天板2bに、下ガイドレール６と、引込み式キャッチ66を案内部65に収容した上ガイドレール８とを、それぞれ螺子などで固定する。
【００８９】
次いで、上ガイドレール８の走行溝部75，76に、一対ずつの上ランナ９のそれぞれの上ローラ84を嵌合させ、上ガイドレール８で上ランナ９を走行可能に支持する。
【００９０】
また、下ガイドレール６の走行凹部18，19に、板ばね体29を取り付けた下ランナ７の下ローラ23を嵌合させ、下ガイドレール６で下ランナ７を走行可能に支持する。
【００９１】
さらに、枠部4aの保持凹部11で窓部材4bの周囲を保持して四角形状に予め形成した引戸体４の収容空間部95内に調整体79を挿入し、調整螺子98の調整軸部98aを螺子挿通孔97に螺合させて、調整頭部98bを螺子係止孔99の縁部に係合させる。
【００９２】
この状態で、図７に示すように、引戸体４の枠部4aの露出部96に上ランナ９に嵌合させ、引戸体４の上側を内側に傾けながら走行体引掛け部91および開閉体凹部106と、開閉体引掛け部105および走行体凹部92とをそれぞれ互いに係合させつつ、引戸体４の下側を内側に押し込むことで、結合部94の係合爪94aが調整体79の調整体開口部103の下側の縁部により押し上げられて可撓変形し、係合爪94aが調整体開口部103の下側の縁部よりも内部に位置した状態で結合部94が復帰変形して係合爪94aが調整体開口部103の下側の縁部の内部に係合し、引戸体４と上ランナ９とを互いに連結する。
【００９３】
さらに、開閉体連結部41の各長孔部43に留め螺子44の螺子軸部48を挿入し、この開閉体連結部41の下側の保持板体45の螺子止め貫通孔53に緩く螺子止めした状態で、図１に示すように、開閉体連結部41を嵌合凹部38に嵌合させ、かつ引戸体４の各留め螺子44をそれぞれ切欠部28の嵌合開口28aおよび嵌合切欠部37の切欠嵌合開口37aから開口部３の開口方向D2に向けて嵌合させた後、引戸体４を開閉方向D1に移動させる。
【００９４】
すると、切欠部28側の留め螺子44の螺子頭部47が傾斜突出部32に当接しつつ移動することで板ばね体29を押し上げ、この板ばね体29が螺子頭部47を上方向に乗り越えてこの螺子頭部47が嵌合孔36および円弧切欠部28bに嵌合し、板ばね体29が元の状態に復帰することで、板ばね体29にて留め螺子44が下方向に押さえ付けられるとともに、嵌合切欠部37側の留め螺子44の螺子頭部47が円弧部37bに嵌合し、引戸体４と下ランナ７とを互いに連結する。
【００９５】
そして、引戸体４の下部を前後位置に移動させることで留め螺子44の螺子軸部48が長孔部43内で前後に移動し、引戸体４を所望の前後位置に移動させた状態で嵌合溝部49にマイナスドライバなどの工具を上下方向に挿入して先端部を嵌合させ、留め螺子44を締め付けて、引戸体４の下部の前後位置を固定する。
【００９６】
同時に、作業者は、引戸体４を開けた状態で引き戸体４の内側から引戸体４の上部の調整螺子98の調整溝部98cにマイナスドライバなどの工具を挿入して先端部を嵌合させて調整螺子98を回転させることで、調整体79を前後方向に移動させて引戸体４の上部を上ランナ９に対して前後方向に移動させ、引戸体４が垂直になるように調整する。
【００９７】
また、引戸体５も引戸体４と同様にして開口部３に取り付ける。
【００９８】
そして、引戸体４の枠部4aの前部に、取手体12をボルト体14にて取り付ける。
【００９９】
さらに、カバー体20を下ガイドレール６の係止爪部16dに圧入し、平面部56全体の上方を閉塞する。
【０１００】
また、引戸体４，５の取り外しの際には、まず、カバー体20を取り外し、傾斜突出部32を作業者が摘んで板ばね体29を上方向に弾性変形させた状態で、引戸体４，５を開閉方向D1に沿って移動させることで、螺子頭部47と嵌合孔36および円弧切欠部28bとの係合が外れる。この後、引戸体４，５を前方に移動させることで、引戸体４，５と下ランナ７との連結が互いに外れる。
【０１０１】
さらに、作業者は結合部94のつまみ部94bを上方向に変形させることで、係合爪94aと調整体開口部103の下部の縁部との係合が外れ、引戸体４，５と上ランナ９との連結が互いに外れて、引戸体４，５が枠体２から取り外される。
【０１０２】
上述したように、上記第１の実施の形態では、開口部３を開閉可能な引戸体４，５から、各下ランナ７に向けて開閉体連結部41を突設するとともに、走行体連結部25を下ランナ７から引戸体４，５に向けて突設し、これら開閉体連結部41と走行体連結部25との連結により引戸体４，５の開閉面から開口部３の開口方向D2に離間して引戸体４，５を下ランナ７に取り付ける構成とした。
【０１０３】
この結果、下ランナ７を予め下ガイドレール６にて支持した状態で引戸体４，５を下ランナ７に取り付けできるので、予め下ランナを引戸体に取り付けてこの下ランナを下ガイドレールに支持する場合などと比較して、引戸体４，５の取り付けの施工性を向上できる。
【０１０４】
しかも、走行体連結部25は、下ランナ７を下ガイドレール６に取り付けた状態でこの下ガイドレール６の外部に突出するため、走行体連結部25と開閉体連結部41とを作業者が目視で確認しながら連結させることができ、引戸体４，５を開口部３に容易に取り付けできるので、引戸体４，５の取り付けの施工性をより向上できる。
【０１０５】
また、開口部３の開口面に対して垂直な方向および引戸体４，５の開閉方向D1に沿って引戸体４，５を移動させることで開閉体連結部41と走行体連結部25とが互いに着脱されることにより、引戸体４，５を開口部３の開口面に沿った鉛直方向などに移動させることがない。このため、下ローラの回転軸を下方に引っ張って下ローラに突出片を乗り越えさせて下ローラを走行凹部に嵌合させる従来の場合、あるいは上ガイドレールの前後位置を調整するためのスペースが必要な従来の場合などと比較して、引戸体４，５を開口部３に取り付けるための開口部３の上下のスペースを低減でき、開口部３の開口面積が小さくなることを防止できる。
【０１０６】
さらに、開閉体連結部41に留め螺子44を設け、開閉体連結部41および走行体連結部25の連結時に留め螺子44の螺子頭部47に係合可能な板ばね体29を、走行体連結部25に設けるとともに、板ばね体29を留め螺子44への係合方向に向けて付勢することで、留め螺子44と板ばね体29とを容易かつ確実に係合でき、引戸体４，５と下ランナ７とを容易に取り付けできるので、引戸体４，５の取り付けの施工性を向上できる。
【０１０７】
また、板ばね体29に傾斜突出部32を設けることで、引戸体４，５を下ランナ７に取り付ける際に、留め螺子44の螺子頭部47が傾斜突出部32の下部に当接することで容易に板ばね体29が上方向に押し上げられるので、取り付けの施工性をより向上できるとともに、引戸体４，５と下ランナ７との連結を外す際には、作業者が傾斜突出部32を摘んで板ばね体29を容易に上方向に弾性変形させて螺子頭部47と嵌合孔36との係合を容易に外すことができるので、取り外しの施工性をも向上できる。
【０１０８】
そして、留め螺子44と板ばね体29とにより下部調整機構46を構成することで、引戸体４，５と下ランナ７との離間距離を調整するための他の部品などを設ける必要がなく、部品点数を低減でき、製造性を向上できるとともに製造コストを抑制できる。
【０１０９】
また、上ランナ９に設けた走行体凹部92および引戸体４，５の調整体79に設けた開閉体凹部106と、引戸体４，５に設けた開閉体引掛け部105および上ランナ９に設けた走行体引掛け部91とを引戸体４，５の厚み方向に係合させて上ランナ９に引戸体４，５を取り付けることで、引戸体、あるいは上ランナを摺動させる従来の場合と比較して、引戸体４，５を開口部３に容易に取り付けできるので、引戸体４，５の取り付けの施工性を向上できるとともに、各凹部92，106と各引掛け部105，91との係合により引戸体４，５を開口部３に取り付けるため、引戸体４，５の厚み方向の寸法を低減でき、小型化に対応できる。
【０１１０】
しかも、開閉体引掛け部105および開閉体凹部106を、引戸体４，５の厚み方向である前後方向、すなわち開口部３の開口方向に移動可能な調整体79に設けることにより、調整体79を引戸体４，５の厚み方向に移動させることで引戸体４，５の厚み方向の位置を容易に調整できる。
【０１１１】
さらに、引戸体４，５と上ランナ９とを互いに固定する結合部94を取付機構107の下方に離間して設けることで、取付機構107を中心とした引戸体４，５の揺動を防止できる。
【０１１２】
また、結合部94にこの結合部94を弾性変形させるつまみ部94bを設けることで、作業者がこのつまみ部94bを摘んで結合部94の係合爪94aと調整体開口部103の下部の縁部との係合を容易に外すことができ、引戸体４，５の取り外しの施工性をも向上できる。
【０１１３】
そして、開口部３の開口方向D2に沿って連結部55に設けられた平面部56上に螺子頭部47が位置するように設けた下部調整機構46で引戸体４，５と下ランナ７との離間距離を調整することで、螺子頭部47を目視で容易に確認しつつ作業者が操作できるので、引戸体４，５と下ランナ７との離間距離を容易に調整できる。
【０１１４】
また、開口部３から上側に露出した平面部56に垂直な方向に留め螺子44を螺子止めすることにより、引戸体４，５と下ランナ７との離間距離を調整する際に、マイナスドライバなどの工具を上側から下側に挿入して容易に操作できるので、例えば平面部に対して水平な方向に留め螺子を螺子止めする従来の場合などと比較して、作業者が作業箇所を覗き込んだりすることなく容易に目視確認でき、施工性をより向上できる。
【０１１５】
さらに、調整体79を、２箇所の上ランナ９に亘って設けることで、調整体79の長手方向の一端部を中心として調整体79が揺動されて引戸体４，５の厚み方向に移動するため、上ランナ９毎に揺動の中心となる支点を設ける必要がなく、上部調整機構101の構成を簡略化できる。
【０１１６】
なお、上記第１の実施の形態において、板ばね体29は、開閉体連結部41側に設ける構成、あるいは走行体連結部25および開閉体連結部41の両方に設ける構成なども可能である。これらの場合には、切欠部28、嵌合切欠部37、長孔部43、留め螺子44および保持板体45などを、それぞれの板ばね体29に対応させて、走行体連結部25、あるいは走行体連結部25および開閉体連結部41の両方などに設ける。
【０１１７】
また、保持板部26を開閉体連結部41側に設ける構成、あるいは走行体連結部25および開閉体連結部41の両方に設ける構成も可能である。
【０１１８】
次に、第２の実施の形態を図９を参照して説明する。なお、上記第１の実施の形態と同様の構成および作用については、同一符号を付してその説明を省略する。
【０１１９】
切欠部28は、走行体連結部25の長手方向の一端部の前側の角を四角形状に切り欠いて形成されている。また、切欠部28の長手方向の他端部側には、ガイド孔111が切り欠き形成されている。このガイド孔111は、走行体連結部25の前部から後方向に向けて長孔状に切り欠き形成されている。
【０１２０】
板ばね体29は、走行体連結部25に前後方向に沿って取り付けられている。この板ばね体29の板ばね本体31には、長孔112が穿設されている。この長孔112は、板ばね体29の幅方向である引戸体４，５の開閉方向D1に沿って長孔状に形成されている。そして、この長孔112は、板ばね体29を走行体連結部25に取り付けた状態で切欠部28に連通する。
【０１２１】
一方、開閉体連結部41には、長手方向の一端部に、ガイド孔111に嵌合されて前後方向である開口部３の開口方向D2に沿って案内される円柱状のガイド突出部115が上方向に突設されている。また、開閉体連結部41の両端部近傍には、丸孔状の嵌合挿通孔116がそれぞれ穿設されている。これら嵌合挿通孔116には、係合部としての偏心カム117が挿入される。
【０１２２】
偏心カム117は、平面視で円形状のカム軸部117aと調整部としてのカム頭部117bとが互いに偏心した状態、すなわちこれらカム軸部117aとカム頭部117bとの中心軸が互いに一致しない状態で一体に設けられている。カム軸部117aは、嵌合挿通孔116に上側から挿入され、開閉体連結部41の下側でかしめられている。この結果、偏心カム117が嵌合挿通孔116に対して抜け止めされ、かつ所定の外力を加えた際に偏心カム117が周方向に回転可能となっている。
【０１２３】
また、カム頭部117bは、長孔112に嵌合して平面部56の上部、すなわち開口部３側に位置し、平面部56の上方である開口部３側から操作可能となっている。さらに、カム頭部117bには、例えば径方向に沿って直線状のカム溝部117cが設けられている。このカム溝部117cに例えばマイナスドライバなどの工具の先端部を嵌合させて周方向に所定の外力を加えることで、偏心カム117を周方向に回転させることが可能となる。
【０１２４】
そして、これらガイド孔111、長孔112、ガイド突出部115、嵌合挿通孔116、偏心カム117などにより、下部調整機構46が構成されている。
【０１２５】
さらに、引戸体４，５と各ランナ７，９とを連結する際には、嵌合挿通孔116に偏心カム117のカム頭部117bを挿入して下側でかしめ固定し、開閉体連結部41の長手方向の他端部側の偏心カム117のカム軸部117aを切欠嵌合開口37aから嵌合切欠部37に挿入し、円弧部37bに嵌合させて切欠係合片部37cに係合させる。
【０１２６】
同時に、ガイド突出部115をガイド孔111に嵌合して引戸体４，５を後側に押し込むことで、偏心カム117のカム頭部117bが傾斜突出部32に当接しつつ移動することで板ばね体29を押し上げ、この板ばね体29がカム頭部117bを上方向に乗り越えてこのカム頭部117bが長孔112に嵌合し、板ばね体29が元の状態に復帰して、板ばね体29により下方に押さえ付けられる。
【０１２７】
また、引戸体４，５と各ランナ７，９との離間距離を調整する際には、各偏心カム117のカム溝部117cにマイナスドライバなどの工具の先端部を挿入して嵌合させ、偏心カム117に周方向に外力を加えてこの偏心カム117を回転させる。
【０１２８】
すると、偏心カム117が平面部56上で偏心回転することで、カム軸部117aが挿入された嵌合挿通孔116に対するカム頭部117bの相対的な位置が変化するとともに、ガイド突出部115がガイド孔111にて前後方向に案内されることにより、引戸体４，５が前後方向、すなわち開口部３の開口方向D2に沿って移動し、引戸体４，５と下ランナ７との離間距離が開口部３の開口方向D2に沿って変化する。
【０１２９】
さらに、引戸体４，５と下ランナ７との連結を外す際には、傾斜突出部32を作業者が摘んで板ばね体29を上方向に弾性変形させた状態で、引戸体４，５を前方向に沿って移動させることで、カム頭部117bと長孔112との係合が外れ、引戸体４，５と下ランナ７との連結が互いに外れる。
【０１３０】
上述したように、上記第２の実施の形態によれば、引戸体４，５に突設された開閉体連結部41と下ランナ７から突設された走行体連結部25とを互いに連結して引戸体４，５を下ランナ７に取り付け、かつ下部調整機構46により引戸体４，５と下ランナ７との離間距離を調整するなど、上記第１の実施の形態と同様の構成を有することにより、同様の作用効果を奏することができる。
【０１３１】
また、走行体連結部25に取り付けた板ばね体29に設けた長孔112に、開閉体連結部41に設けた偏心カム117を嵌合させることで、引戸体４，５と下ランナ７との離間距離を偏心カム117と長孔112とで容易に調整できるので、引戸体４，５の取り付けの施工性をより向上できる。
【０１３２】
さらに、下部調整機構46を、偏心カム117と長孔112とを互いに嵌合させる比較的簡単な構成とすることにより、部品点数を低減でき、施工性を向上できるとともに、製造コストをも抑制できる。
【０１３３】
なお、上記第２の実施の形態において、上記第１の実施の形態と同様に、ばね体29は、開閉体連結部41側に設ける構成、あるいは走行体連結部25および開閉体連結部41の両方に設ける構成なども可能である。これらの場合には、切欠部28、嵌合切欠部37、ガイド突出部115、嵌合挿通孔116および偏心カム117などを、それぞれの板ばね体29に対応させて、走行体連結部25、あるいは走行体連結部25および開閉体連結部41の両方などに設ける。
【０１３４】
また、上記各実施の形態において、取付機構107は、調整体79と上ランナ９とのいずれか一方にのみ引掛け部、いずれか他方にのみ凹部を設ける構成など、他の様々な構成が可能である。
【０１３５】
さらに、例えば引戸体４，５と下ランナ７とを連結する機構を、引戸体４，５と上ランナ９との連結に用いるなど、取付機構107と異なる構成で引戸体４，５と上ランナ９とを連結することも可能である。
【０１３６】
次に、第３の実施の形態を図１０ないし図１３を参照して説明する。なお、上記各実施の形態と同様の構成および作用については、同一符号を付してその説明を省略する。
【０１３７】
図１２に示すように、下ガイドレール６は、地板2aの下部に取り付けられている。この下ガイドレール６には、走行凹部18，19にそれぞれ下ランナ７の下ローラ23が嵌合している。このため、各下ランナ７は、引戸体４，５の開閉方向D1に沿って走行可能に下ガイドレール６に支持される。
【０１３８】
下ランナ７は、図１０および図１２に示すように、四角形平板状に設けられ、走行体連結部25の長手方向の中心域に、丸孔状のカム取付孔121が穿設されている。このカム取付孔121には、係合部としての偏心カム122が取り付けられている。
【０１３９】
偏心カム122は、偏心カム軸部122aと調整部としての偏心カム頭部122bとが互いに偏心した状態で一体的に設けられている。偏心カム軸部122aは、カム取付孔121に上側から挿入され、走行体連結部25の下側でかしめられている。この結果、偏心カム122がカム取付孔121に対して抜け止めされ、かつ所定の外力を加えた際に偏心カム122が周方向に回転可能となっている。
【０１４０】
また、偏心カム頭部122bは、偏心カム122の偏心カム軸部122aをカム取付孔121に取り付けた状態で平面部56に位置し、平面部56の上方である開口部３側から操作可能となっている。そして、偏心カム頭部122bには、例えば平面視で十字状の偏心カム溝部122cが設けられている。この偏心カム溝部122cに例えばプラスドライバなどの工具の先端部を嵌合させることで、偏心カム122を周方向に回転させることが可能になる。
【０１４１】
さらに、走行体連結部25の両端部には、下ガイド部123がそれぞれ突設されている。これら下ガイド部123は、走行体連結部25の両端部に上方向に向けて突設された下側板部123aと、この下側板部123aの上端部から走行体連結部25の長手方向の中心側に向けて水平に延設された下水平板部123bとを備え、正面視で略Ｌ字状に形成されている。このため、下ガイド部123と走行体連結部25の上面との間には、下ガイド空間部124が形成されている。この下ガイド空間部124には、引戸体４，５にそれぞれ取り付けられた下部取付ブラケット125，126の一部が前後方向に摺動可能に嵌合する。
【０１４２】
下部取付ブラケット125は、上下方向に沿って平板状に設けられた鉛直板部127と、この鉛直板部127の下端部から後方に向けて水平に延設された開閉体連結部41とを備えている。また、下部取付ブラケット126は、上下方向に沿って平板状に設けられた鉛直板部127の下端部から後方に向けて下方向に傾斜状に傾斜した傾斜板部128を備え、この傾斜板部128の下端部から後方に向けて開閉体連結部41が水平に突設されている。すなわち、引戸体５に取り付けられた下部取付ブラケット126は、引戸体４に取り付けられた下部取付ブラケット125よりも開閉体連結部41が下方に位置している。
【０１４３】
鉛直板部127は、複数穿設された各ブラケット留め孔131にブラケット留め具132を挿入して引戸体４，５の後部にそれぞれ固定されている。
【０１４４】
開閉体連結部41は、後端部が前後方向に摺動可能に下ガイド空間部124に嵌合し、長手方向の中心域に、後端部側から四角形状のブラケット切欠部133が切り欠き形成されている。また、このブラケット切欠部133の上部には、ロック部としての板ばね体134が前後方向に長手状に取り付けられている。
【０１４５】
この板ばね体134は、例えば弾性を有する金属などの部材で略細長四角形板状に形成された板ばね本体135を備え、この板ばね本体135の長手方向の一端部である後端部には、この板ばね本体135から上方向に向けて傾斜状に傾斜突出部136が突設されている。また、板ばね本体135には、前端部側に複数、例えば２つの固定孔137が穿設されている。これら固定孔137は、開閉体連結部41のブラケット切欠部133の前方に設けられた複数、例えば２つの留め孔138に対応して穿設されている。
【０１４６】
そして、固定孔137には、留め具141がそれぞれ挿通され、これら留め具141が留め孔138に固定されることで、板ばね体134が開閉体連結部41の後端部に、ブラケット切欠部133に対応して取り付けられ、板ばね本体135自身の弾性により、板ばね体134が下方向に向けて付勢されている。
【０１４７】
さらに、板ばね本体135には、板ばね体134を開閉体連結部41に取り付けた状態でブラケット切欠部133に連通する長孔142が穿設されている。この長孔142は、板ばね体134の幅方向である引戸体４，５の開閉方向D1に沿って長孔状に形成されている。そして、この長孔142には、偏心カム122の偏心カム頭部122bが係合して嵌合可能となっている。すなわち、板ばね体134は、偏心カム頭部122bへの係合方向に向けて付勢されている。
【０１４８】
一方、上ガイドレール８は、図１２に示すように、天板2bの上部に取り付けられている。この上ガイドレール８は、板状の上本体部145を備え、この上本体部145の上部の両側部には、上方向に凹状の走行溝部146，147がそれぞれ設けられている。これら走行溝部146，147には、それぞれ上ランナ９の上ローラ84が嵌合する。
【０１４９】
上ランナ９は、図１１および図１２に示すように、上ローラ84の回転軸85が、上下方向に沿って面方向を有する鉛直軸支板部151の挿通孔152に挿通され、鉛直軸支板部151が取り付けられた上部取付ブラケット153，154に回転自在に軸支されている。
【０１５０】
鉛直軸支板部151は、軸支本体部155の長手方向の他端部に後方に向けて屈曲された軸支屈曲部156が延設されている。また、鉛直軸支板部151は、上部取付ブラケット153，154の後部に、ブラケット留め具157により固定されている。そして、挿通孔152は、軸支本体部155の中心域に穿設されている。
【０１５１】
また、上部取付ブラケット153は、引戸体４の後部に取り付けられた開閉体取付ブラケット171に連結されるもので、鉛直方向に沿って面方向を有する被取付板部158、この被取付板部158の長手方向の他端部側から後方に向けて屈曲されたブラケット屈曲部159、および、被取付板部158の下端部から前方に向けて水平に延設された走行体連結部160，161を備えている。
【０１５２】
一方、上部取付ブラケット154は、引戸体５の後部に取り付けられた開閉体取付ブラケット172に連結されるもので、走行体連結部160，161が被取付板部158の上端部および下端部から前方に向けてそれぞれ水平に延設されている。
【０１５３】
被取付板部158は、後部に鉛直軸支板部151が取り付けられている。
【０１５４】
ブラケット屈曲部159は、軸支屈曲部156に対向している。また、このブラケット屈曲部159には、図示しない貫通孔が穿設され、この貫通孔には、螺子162の軸部162aが挿入されている。この軸部162aの先端部は、軸支屈曲部156に当接している。
【０１５５】
走行体連結部160は、偏心カム179の軸部179aが挿入されてかしめ固定されるかしめ孔部163が中心域に穿設されている。一方、走行体連結部161は、偏心カム164の軸部164aが挿入されてかしめ固定されるかしめ孔部165が中心域に穿設されている。ここで、偏心カム164は、軸部164aと調整部としての頭部164bとが互いに偏心した状態で一体に設けられ、頭部164bが長孔188に嵌合可能となっている。さらに、偏心カム164の頭部164bは、偏心カム164の軸部164aをかしめ孔部165に取り付けた状態で平面部191に位置し、平面部191の下方である開口部３側から操作可能となっている。
【０１５６】
また、走行体連結部160，161の長手方向の両端部には、上ガイド部166が下方向に向けて突設されている。この上ガイド部166は、走行体連結部160，161の両端部に下方向に向けて突設された上側板部166aと、この上側板部166aの上端部から走行体連結部160，161の長手方向の中心側に向けて水平に延設された上水平板部166bとを備え、正面視で略Ｌ字状に形成されている。このため、上ガイド部166と走行体連結部160，161の下面との間には、上ガイド空間部167がそれぞれ形成されている。この上ガイド空間部167には、引戸体４，５にそれぞれ取り付けられた開閉体取付ブラケット171，172の一部が前後方向に摺動可能に嵌合する。
【０１５７】
開閉体取付ブラケット171は、引戸体４の後部に留め具体173を介して取付固定された被取付部174と、この被取付部174の下端部から後方に向けて水平に延設された開閉体連結部175とを備えている。
【０１５８】
一方、開閉体取付ブラケット172は、下部取付ブラケット125と同様の形状を上下逆にした形状に設けられており、引戸体５の後部に留め具体173を介して取付固定された被取付部174と、この被取付部174の上端部から後方に向けて水平に延設された開閉体連結部176とを備えている。このため、開閉体取付ブラケット172は、開閉体取付ブラケット171の開閉体連結部175よりも開閉体連結部176が上方に位置している。
【０１５９】
被取付部174は、複数の固定孔177が穿設され、これら固定孔177に留め具体173が挿入されることで開閉体取付ブラケット171，172が引戸体４，５にそれぞれ固定されている。
【０１６０】
開閉体連結部175は、上ガイド空間部167に前後方向に摺動可能に嵌合し、この開閉体連結部175の中心域には、長手方向に沿って長手状の長孔178が穿設されている。この長孔178には、偏心カム179の軸部179aが挿入される。
【０１６１】
偏心カム179は、軸部179aと調整部としての頭部179bとが互いに偏心した状態で一体に設けられ、頭部179bが長孔178に嵌合可能となっている。
【０１６２】
一方、開閉体連結部176は、平面視で四角形状の切欠嵌合部181が後端部から前後方向の中心域に亘って切り欠き形成されている。この切欠嵌合部181の下部には、下部取付ブラケット125の板ばね体134と同様のロック部としての板ばね体182が取り付けられている。すなわち、この板ばね体182は、例えば弾性を有する金属などの部材で略細長四角形板状に形成された板ばね本体183を備え、この板ばね本体183の長手方向の一端部である後端部には、この板ばね本体183から下方向に向けて傾斜状に傾斜突出部184が突設されている。また、板ばね本体183には、前端部側に複数、例えば２つの固定孔185が穿設されている。これら固定孔185は、開閉体連結部176の切欠嵌合部181の前方に設けられた複数、例えば２つの留め孔186に対応して穿設されている。
【０１６３】
そして、固定孔185には、留め具187がそれぞれ挿通され、これら留め具187が留め孔186に固定されることで、板ばね体182が開閉体連結部176の後端部に、切欠嵌合部181に対応して取り付けられ、板ばね本体183自身の弾性により、板ばね体182が上方向に向けて付勢されている。
【０１６４】
さらに、板ばね本体183には、板ばね体182を開閉体連結部176に取り付けた状態で切欠嵌合部181に連通する長孔188が穿設されている。この長孔188は、板ばね体182の幅方向である引戸体４，５の開閉方向D1に沿って長孔状に形成されている。そして、この長孔188には、偏心カム164の頭部164bが係合して嵌合可能となっている。すなわち、板ばね本体183は、頭部164bへの係合方向に向けて付勢されている。
【０１６５】
また、かしめ孔部163，165、長孔178，188、偏心カム164，179、および、板ばね体182などにより引戸体４，５と上ランナ９との離間距離を開口部３の開口方向D2に沿って調整する調整機構としての上部調整機構189が構成され、この上部調整機構189、走行体連結部160，161および開閉体連結部175，176などにより、走行体連結部160，161と開閉体連結部175，176とを互いに着脱可能に連結する連結部190が構成される。そして、この連結部190により、引戸体４，５と上ランナ９とが、引戸体４，５の開閉面から開口部３の開口方向D2に離間して互いに連結される。
【０１６６】
また、この連結部190には、走行体連結部160，161および開閉体連結部175，176が互いに連結されることで、開閉体連結部175，176の下部にそれぞれ平面部191が形成される。すなわち、この平面部191は、開口部３の内部から下方に露出可能である。さらに、偏心カム164，179の各頭部164a，179bは、これら偏心カム179，164の各軸部179a，164aをかしめ孔部163，165に取り付けた状態で平面部191の下部である開口部３側に位置し、平面部191の下方である開口部３側から操作可能となっている。
【０１６７】
そして、上記第３の実施の形態を組み立てる際には、走行体連結部160，161のかしめ孔部163，165に偏心カム179，164の各軸部179a，164aを挿入して上側でかしめ固定した上ランナ９の上ローラ84を、上ガイドレール８の走行溝部146，147にそれぞれ嵌合させて、上ガイドレール８で上ランナ９を走行可能に支持する。
【０１６８】
同様に、走行体連結部25のカム取付孔121に偏心カム122の偏心カム軸部122aを挿入して下側でかしめ固定した下ランナ７の下ローラ23を、下ガイドレール６の走行凹部18，19にそれぞれ嵌合させて、下ガイドレール６で下ランナ７を走行可能に支持する。
【０１６９】
さらに、引戸体４，５の後部の上端部に、開閉体取付ブラケット171，172を複数、例えば２箇所に取り付けるとともに、引戸体４，５の後部の下端部に、板ばね体134をそれぞれ取り付けた下部取付ブラケット125，126を複数、例えば２箇所に取り付ける。
【０１７０】
そして、引戸体４を開口部３に対向させ、開閉体取付ブラケット171の開閉体連結部175の後端部を、各上ランナ９の上部取付ブラケット153の上ガイド空間部167に嵌合させるとともに、下部取付ブラケット125の開閉体連結部41の後端部を、下ランナ７の下ガイド空間部124に嵌合させた状態で、引戸体４を前側から後側へと押し込むことで、偏心カム179の頭部179bおよび偏心カム122の偏心カム頭部122bが長孔142，178にそれぞれ嵌合して、走行体連結部25，160と開閉体連結部41，175とが互いに連結され、引戸体４と上ランナ９および下ランナ７とがそれぞれ互いに連結されて、引戸体４が開口部３に取り付けられる。
【０１７１】
また、作業者は、開口部３側から平面部56の偏心カム頭部122bにプラスドライバなどの工具の先端部を挿入して嵌合させ、偏心カム頭部122bに周方向に外力を加えてこの偏心カム122を回転させる。
【０１７２】
すると、偏心カム122が平面部56上で偏心回転することで、図１３に示すように、偏心カム軸部122aが挿入されたカム取付孔121に対する偏心カム頭部122bの相対的な位置が変化するとともに、走行体連結部41が下ガイド部123にて前後方向に案内されることにより、引戸体４が前後方向、すなわち開口部３の開口方向D2に沿って移動し、引戸体４と下ランナ７との離間距離が開口部３の開口方向D2に沿って変化する。
【０１７３】
同様に、作業者は、開口部３側から平面部191の頭部179bにプラスドライバなどの工具を挿入してこの頭部179bを操作し、引戸体４と上ランナ９との離間距離を調整して、引戸体４が垂直になるようにする。
【０１７４】
この後、作業者は、引戸体５を開口部３に対向させ、開閉体取付ブラケット172の開閉体連結部176の後端部を、各上ランナ９の上部取付ブラケット154の上ガイド空間部167に嵌合させるとともに、下部取付ブラケット126の開閉体連結部41の後端部を、下ランナ７の下ガイド空間部124に嵌合させた状態で、引戸体４を前側から後側へと押し込むことで、偏心カム164の頭部164bおよび偏心カム122の偏心カム頭部122bが長孔188，178にそれぞれ嵌合して、走行体連結部25，161と開閉体連結部41，176とが互いに連結され、引戸体４と上ランナ９および下ランナ７とがそれぞれ互いに連結されて、引戸体５が開口部３に取り付けられる。
【０１７５】
そして、引戸体４と同様に、偏心カム164，122を回転させて引戸体５と上ランナ９および下ランナ７との離間距離を調整する。
【０１７６】
上述したように、上記第３の実施の形態によれば、引戸体４から後方に突出した開閉体連結部41，175と各ランナ７，９から突設された走行体連結部25，160とを互いに連結して引戸体４を各ランナ７，９に取り付けるとともに、引戸体５から後方に突出した開閉体連結部41，176と各ランナ７，９から突設された走行体連結部25，161とを互いに連結して引戸体５を各ランナ７，９に取り付け、かつ各調整機構46，189により引戸体４，５と各ランナ７，９との離間距離を調整するなど、上記各実施の形態と同様の構成を有することにより、上記各実施の形態と同様の効果を奏することができる。
【０１７７】
また、引戸体４，５の枠部4a，5aが例えば木枠などである場合でも、下部取付ブラケット125，126および開閉体取付ブラケット171，172をそれぞれ枠部4a，5aに取り付けることで容易に対応でき、使い勝手を向上できる。
【０１７８】
さらに、引戸体４，５の上下ともに偏心カム122，164，179を長孔142，188，178に嵌合させるだけの比較的簡単な構成で引戸体４，５と各ランナ７，９との離間距離を調整できるので、施工性をより向上できる。
【０１７９】
なお、上記第３の実施の形態において、板ばね体134，182は、それぞれ走行体連結部25，161側に設ける構成、あるいは走行体連結部25，161および開閉体連結部41，176の両方に設ける構成も可能である。これらの場合には、カム取付孔121、ブラケット切欠部133、偏心カム122，164、かしめ孔部165および切欠嵌合部181などを、それぞれの板ばね体134，182に対応させて、走行体連結部25，161、あるいは走行体連結部25，161および開閉体連結部41，176の両方などに設ける。
【０１８０】
また、走行体連結部160および開閉体連結部175の連結の構成と、走行体連結部161および開閉体連結部176の連結の構成とは、互いに異なる構成としたが、互いに同様の構成とすることも可能である。
【０１８１】
さらに、上記各実施の形態において、各調整機構46，189などは、引戸体４，５と各ランナ７，９との離間距離を調整できれば、他の様々な構成が可能である。
【０１８２】
そして、引戸体４，５と各ランナ７，９との連結機構は、引戸体４，５の上下でそれぞれ入れ替えた構成としてもよい。すなわち、引戸体４，５と下ランナ７および上ランナ９との連結機構を、引戸体４，５と上ランナ９および下ランナ７との連結機構として用いることも可能である。
【０１８３】
また、引戸体は、開口部３の開口面積に応じて３つ以上としたり、１つだけとしたりすることも可能である。
【０１８４】
さらに、上記各実施の形態では、走行体連結部25，160，161および開閉体連結部41，175，176をそれぞれ各ガイドレール６，８の外部に突出させて連結する構成としたが、走行体連結部25，160，161および開閉体連結部41，175，176を各ガイドレール６，８の内部で連結する構成も可能である。
【０１８５】
そして、枠体２、あるいは引戸体４，５の形状などの細部は、上記各構成に限定されるものではない。
【図面の簡単な説明】
【０１８６】
【図１】本発明の第１の実施の形態の開閉体装置の一部を拡大して示す斜視図である。
【図２】同上開閉体装置の一部を拡大して示す斜視図である。
【図３】同上開閉体装置を示す縦断側面図である。
【図４】同上開閉体装置を示す正面図である。
【図５】同上開閉体装置を一部を切り欠いて示す平面図である。
【図６】同上開閉体装置の一部の裏面を拡大して示す側面図である。
【図７】同上開閉体装置の引掛け部と凹部との係合動作を示す縦断側面図であり、(a)は同上引掛け部と凹部との係合前の状態を示す縦断側面図、(b)は同上引掛け部と凹部との係合時を示す縦断側面図、(c)は同上引掛け部と凹部との係合状態を示す縦断側面図である。
【図８】同上開閉体装置の一部を示す斜視図である。
【図９】本発明の第２の実施の形態の開閉体装置の一部を拡大して示す斜視図である。
【図１０】本発明の第３の実施の形態の開閉体装置の一部を拡大して示す斜視図である。
【図１１】同上開閉体装置の一部を拡大して示す斜視図である。
【図１２】同上開閉体装置を示す縦断側面図である。
【図１３】同上開閉体装置の開閉体と走行体とを示す説明図であり、(a1)は同上開閉体と走行体との離間距離の調整動作の一部を示す平面図、(a2)は同上調整動作の一部を示す縦断側面図、(b1)は同上開閉体と走行体との離間距離の調整動作の他の一部を示す平面図、(b2)は同上調整動作の他の一部を示す縦断側面図、(c1)は同上開閉体と走行体との離間距離の調整動作のさらに他の一部を示す平面図、(c2)は同上調整動作のさらに他の一部を示す縦断側面図である。
【符号の説明】
【０１８７】
１    開閉体装置
３    開口部
４，５    開閉体としての引戸体
６    案内部材としての下ガイドレール
７    走行体としての下ランナ
８    案内部材としての上ガイドレール
９    走行体としての上ランナ
25，160，161    走行体連結部
29，134，182    ロック部としての板ばね体
41，175，176    開閉体連結部
44    係合部としての留め螺子
46    調整機構としての下部調整機構
47    調整部としての螺子頭部
55，190    連結部
56，191    平面部
79    調整体
91    引掛け部としての走行体引掛け部
92    凹部としての走行体凹部
94    結合部
105   引掛け部としての開閉体引掛け部
106   凹部としての開閉体凹部
107   取付機構
112，142，178，188    長孔
117，122    係合部としての偏心カム
117b  調整部としてのカム頭部
122b  調整部としての偏心カム頭部
164，179    偏心カム
164b，179b    調整部としての頭部
189   調整機構としての上部調整機構
【図１】
2005097951.tif 000003
【図２】
2005097951.tif 000004
【図３】
2005097951.tif 000005
【図４】
2005097951.tif 000006
【図５】
2005097951.tif 000007
【図６】
2005097951.tif 000008
【図７】
2005097951.tif 000009
【図８】
2005097951.tif 000010
【図９】
2005097951.tif 000011
【図１０】
2005097951.tif 000012
【図１１】
2005097951.tif 000013
【図１２】
2005097951.tif 000014
【図１３】
2005097951.tif 000015